(57)【要約】【課題】  エアーダクトへの油および塵埃などの異物の付着に起因する、通風抵抗の増大、ダクトの構成部材の劣化、および悪臭の発生を防止し得る冷却庫を提供する。【解決手段】  冷却庫１は、本体５０の正面１ａに設けられた空気吸込口７３から吸入された空気を本体５０の背面１ｂ側へ導く横方向エアーダクト７２と、横方向エアーダクト７２内に着脱自在に設けられたフィルタ８と備えている。フィルタ８は、横方向エアーダクト７２が延びる方向に対して傾斜して設置されている。【選択図】        図１
2007003071.tif 000002
【特許請求の範囲】
【請求項１】
箱型の本体と、
前記本体の背面の近傍に設けられた機械室と、
前記機械室内に設けられた冷凍システムの放熱用熱交換器と、
前記機械室から縦方向に延びる縦方向エアーダクトと、
前記縦方向ダクトの端部から前記本体の正面に設けられた空気吸込口まで横方向に延びる横方向エアーダクトと、
前記縦方向エアーダクトおよび前記横方向エアーダクト内に気流を生成する送風機と、
前記横方向エアーダクト内に設けられ、前記送風機が生成した気流中の異物が衝突するフィルタとを備え、
前記フィルタは、前記横方向エアーダクトが延びる方向に対して傾斜した姿勢で設置されている、冷却庫。
【請求項２】
前記フィルタは、前記本体の正面側の端部が前記本体の背面側の端部よりも上方に位置する、請求項１に記載の冷却庫。
【請求項３】
前記フィルタの前記背面側の端部は、前記横方向エアーダクトの天面の背面側の端部よりも背面側に位置する、請求項２に記載の冷却庫。
【請求項４】
前記フィルタの前記正面側の端部は、前記空気吸込口の近傍に位置する、請求項１に記載の冷却庫。
【請求項５】
前記フィルタは、その主表面に平行な方向に延びるガイド部に沿って前記横方向エアーダクトに挿入されている、請求項１に記載の冷却庫。
【請求項６】
前記フィルタは、前記横方向エアーダクトが延びる方向に平行な方向に沿って前記横方向エアーダクトに挿入できかつ前記横方向エアーダクトから引出すことができる支持部材に取り付けられている、請求項１に記載の冷却庫。
【請求項７】
前記フィルタは、前記横方向エアーダクトから取り出されるときに、その大部分の期間において、その下端部が前記横方向エアーダクトの底面に接しているように設けられている、請求項６に記載の冷却庫。
【請求項８】
前記フィルタの下方または前記フィルタの端部に近接した位置において、前記フィルタから落下した異物を受ける集積部をさらに備え、
前記集積部は、前記横方向エアーダクト内に取り付けられ得るものであり、かつ、前記横方向エアーダクトから取り外され得るものである、請求項１に記載の冷却庫。
【請求項９】
前記フィルタと前記集積部とが一体的に形成されている、請求項８に記載の冷却庫。
【請求項１０】
前記フィルタが前記横方向エアーダクトから取り出されるときに、前記フィルタに接触して、前記異物を前記フィルタから落下させるブラシ部をさらに備えた、請求項１に記載の冷却庫。
【請求項１１】
前記横方向エアーダクトは、前記本体の底面の近傍に底面に沿って設置されている、請求項１に記載の冷却庫。
【請求項１２】
前記冷凍システムにおいては、スターリング冷凍機が冷熱源として用いられ、
前記放熱用熱交換器は、前記スターリング冷凍機の高温部から熱を放出するためのものであり、前記横方向エアーダクトから前記縦方向エアーダクトを介して前記機械室内へ流れ込んできた空気と熱交換を行う、請求項１に記載の冷却庫。
【発明の詳細な説明】
【技術分野】
【０００１】
この発明は、台所または厨房などの調理室に設置される冷却庫のエアーダクトの構造に関するものである。
【背景技術】
【０００２】
一般に、冷却庫は、主に台所または厨房などの調理室に設置されている。その冷却庫は、常に、他の調理器機などが発生した蒸気または油煙などに曝されている。そのため、蒸気または油煙に付随して運ばれてくる油および塵埃などの異物が冷却庫の内壁および外壁に付着することがある。この場合、冷却庫の冷却性能が劣化する。特に、冷凍機のウォームセクション（ウォームヘッドまたは高温部）を空冷するタイプの冷却庫においては、特にウォームセクションに油および塵埃などの異物が付着し易い。したがって、ウォームセクションへの異物の付着を防止するための対策が必要となる。
【特許文献１】特開２００３−３０２１１７号公報
【特許文献２】特開２００４−１５６８０２号公報
【発明の開示】
【発明が解決しようとする課題】
【０００３】
本発明者らが非公開の技術として開発している冷却庫においては、前述の対策として、たとえば、ウォームセクションまで外気を導くエアーダクトが冷却庫の底面に沿って設けられており、エアーダクト内にエアーダクトの横断面に沿ってフィルタが設けられている。このような構成が採用されているのは、比較的油および塵埃などの異物の含有量が少ない冷却庫の本体の底部の近傍の空気を取り入れ、かつフィルタを介してウォームセクションに空気を導くことで、ウォームセクションへの油および塵埃などの異物の付着を防止するためである。
【０００４】
上記の本発明者らが採用した構成を有する冷却庫においては、ウォームセクションへの油および塵埃などの異物の付着が防止されるが、ウォームセクションへ空気を導くためのエアーダクトへの油および塵埃などの異物の付着を防止することができない。そのため、異物の付着に起因したダクトの通風抵抗の増加、ダクトの構成部材の劣化、および異物が発する悪臭などの問題が生じる。
【０００５】
また、送風機が生成した高圧の空気によって、常に、油および塵埃などの異物がフィルタに押し付けられている。そのため、異物がフィルタの網目に固着し易い。その結果、フィルタの清掃の手間がかかるとともに、フィルタの劣化が促進されてしまうという問題が生じる。
【０００６】
本発明は、上述の問題に鑑みされたものであり、その目的は、ダクトへの油および塵埃などの異物の付着を防止し得るとともに、フィルタのメンテナンスの効率を向上させることができる冷却庫を提供することである。
【課題を解決するための手段】
【０００７】
本発明の冷却庫は、箱型の本体と、本体の背面の近傍に設けられた機械室と、機械室内に設けられた冷凍システムの放熱用熱交換器とを備えている。また、冷却庫は、機械室から縦方向に延びる縦方向エアーダクトと、縦方向ダクトの端部から本体の正面に設けられた空気吸込口まで横方向に延びる横方向エアーダクトと、縦方向エアーダクトおよび横方向エアーダクト内に気流を生成する送風機と、横方向エアーダクト内に設けられ、送風機が生成した気流中の異物が衝突するフィルタとを備えている。フィルタは、横方向エアーダクトが延びる方向に対して傾斜した姿勢で設置されている。
【０００８】
上記の構成によれば、横方向エアーダクトの横断面（気流の方向に垂直な断面）の大きさよりも大きな主表面を有するフィルタを横方向ダクト内に設置することができる。そのため、単位面積当たりの異物の衝突量を低減することができる。その結果、異物がフィルタに固着して自然に落下しないようになってしまうおそれが低減される。また、異物は、フィルタの主表面に接触しながら、フィルタの一方端から他方端まで流れ、一箇所に集積される。
【０００９】
また、フィルタは、本体の正面側の端部が本体の背面側の端部よりも上方に位置していることが望ましい。
【００１０】
上記の構成によれば、フィルタの下側面に異物が衝突するため、送風機が停止しているときに重力によって異物がフィルタから自然に落下し易い。
【００１１】
また、フィルタの背面側の端部は、横方向エアーダクトの天面の背面側の端部よりも背面側に位置していることが望ましい。
【００１２】
上記の構成によれば、縦方向エアーダクト内で結露が生じ、異物などを含んだ結露水が横方向ダクトの端部に流れ落ちてきたときに、エアーダクトの天面の背面側の端部よりも背面側に位置するフィルタの端部によって結露水を受けることができる。それにより、結露水中に含まれている異物は、フィルタに付着する。したがって、フィルタを交換すれば、横方向エアーダクトの背面側の端部に異物が付着したまま残存してしまうことを防止することができる。
【００１３】
また、フィルタの正面側の端部は、空気吸込口の近傍に位置していることが望ましい。この構成によれば、フィルタの正面側の端部を掴んで、横方向エアーダクトからフィルタを取り出すことができる。したがって、フィルタの清掃または交換作業が容易になる。
【００１４】
また、フィルタは、その主表面に平行な方向に延びるガイド部に沿って横方向エアーダクトに挿入されているものであることが望ましい。この構成によれば、フィルタの取り付けおよび取り外しのために必要なスペースを極力小さくすることができる。特に、空気吸込口のうちフィルタの取り付けおよび取り外しのために必要な開口の面積を極力小さくすることができる。
【００１５】
また、フィルタは、横方向エアーダクトが延びる方向に平行な方向に沿って横方向エアーダクトに挿入できかつ横方向エアーダクトから引出すことができる支持部材に取り付けられていることが望ましい。この構成によれば、フィルタの横方向エアーダクトへ取り付けおよび取り外しがさらに容易になる。したがって、たとえば、使用者によるフィルタの清掃または交換作業の回数の増加を促進することができる。
【００１６】
また、フィルタは、横方向エアーダクトから取り出されるときに、その大部分の期間において、その下端部が横方向エアーダクトの底面に接しているように設けられていることが望ましい。この構成によれば、横方向エアーダクトの底面に溜まっている異物をフィルタの取り出し作業と同時に外部へ掻き出すことができる。
【００１７】
また、冷却庫は、フィルタの下方またはフィルタの端部に近接した位置において、フィルタから落下した異物を受ける集積部をさらに備えており、その集積部が、横方向エアーダクト内に取り付けられ得るものであり、かつ、横方向エアーダクト内から取り外され得るものであることが望ましい。
【００１８】
上記の構成によれば、異物を横方向エアーダクトの底面に固着してしまうことを防止することができるとともに、横方向エアーダクト内から異物を容易に取り出すことができる。
【００１９】
さらに、フィルタと集積部とが一体的に形成されていれば、フィルタおよび集積部の取り出しおよび取り付けを容易に行なうことができるとともに、その取り出しおよび取り付け時に、フィルタに付着している異物が散乱してしまうことが防止される。
【００２０】
また、冷却庫は、フィルタが横方向エアーダクトから取り出されるときに、フィルタに接触して、異物をフィルタから落下させるブラシ部をさらに備えていれば、フィルタから異物をより簡単に除去することができる。
【００２１】
また、横方向エアーダクトは、本体の底面の近傍に底面に沿って設置されていれば、デッドスペースを活用することによって、冷却庫の本体をコンパクトにすることができるとともに、冷却室内の容積を極力大きくすることができる。
【００２２】
また、冷凍システムにおいては、スターリング冷凍機が冷熱源として用いられ、放熱用熱交換器は、スターリング冷凍機の高温部から熱を放出するためのものであり、横方向エアーダクトから縦方向エアーダクトを介して機械室内へ流れ込んできた空気と熱交換を行なうものであれば、次のような効果が得られる。
【００２３】
一般に、スターリング冷凍機は、冷凍能力と比較してコールドセクション（コールドヘッドまたは低温部）およびウォームセクション（ウォームヘッドまたは高温部）ともに表面積が小さいため、冷凍システムは高効率な放熱システムを必要とする。上記の構成によれば、放熱用熱交換器およびフィルタの異物の目詰まり等が抑制されているため、エアーダクトおよび放熱システムにおいて送風抵抗が増加して送風量が低減することが防止される。例えば、放熱用熱交換器のフィン同士間隔の小さい場合においても、フィンの目詰まりが抑制されるため、放熱システムの熱交換の効率を従来よりも効率化することができる。
【発明を実施するための最良の形態】
【００２４】
以下、図を参照しながら、本発明の実施の形態の冷却庫を説明する。なお、各実施の形態においては、同一の部位には同一の参照符号が付されており、その説明は繰り返さない。
【００２５】
（第１の実施形態）
図面を参照して、本発明の第１の実施形態の冷却庫を説明する。図１は、本発明の第１の実施形態の冷却庫１の概略的な構成を示す断面図である。図１において、矢印Ａ、Ｂ、Ｃ、Ｄ、ＥおよびＦのそれぞれは、気流の向きを表している。また、図２および図３は本発明の第１の実施形態の冷却庫の要部の構成を示す斜視図および断面図である。
【００２６】
図１に示すように、本実施形態の冷却庫１においては、冷却庫１の背面１ｂの近傍であり、高さ方向の中央部の近傍であって、冷却庫１の箱型の本体５０を構成する断熱壁の外側に機械室２が設置されている。放熱システム４およびスターリング冷凍機３は、機械室２内に設置されている。
【００２７】
また、機械室２の下端部であって、冷却庫１の背面１ｂの近傍に、エアーダクト７の開口部７４が設けられている。エアーダクト７は、冷却庫１の正面１ａ上であって冷却庫１の下端部の近傍に設けられた空気吸込口７３と、機械室２の下端の開口部７４とを接続するように延びている。また、エアーダクト７は、機械室２から下方に向かって冷却庫１の背面１ｂに沿って縦方向に延びる背面側エアーダクト７１と、冷却庫１の底面１ｄに沿って横方向に延びる底面側エアーダクト７２とからなる。
【００２８】
また、冷却庫１の背面１ｂの近傍であり、高さ方向の下端部の近傍に、冷却システム６を構成する冷却器６１が設置されている。冷却器６１は、冷却庫１の本体５０を構成する断熱壁の内側に設置されている。
【００２９】
また、底面側エアーダクト７２の空気吸込口７３の近傍にフィルタ８が設けられている。フィルタ８は正面１ａ側の端部８ａが背面１ｂ側の端部８ｂよりも上方に位置するように傾斜して設置されている。つまり、フィルタ８は、底面側エアーダクト７２が延びる方向に対して傾斜して底面側エアーダクト７２内に設置されている。
【００３０】
また、フィルタ８の背面１ｂ側の端部８ｂは、底面側エアーダクト７２の天面６０の背面１ｂ側の端部６ａよりもさらに背面１ｂ側に位置するように設置されている。また、フィルタ８の正面１ａ側の端部８ａは、空気吸込口７３の近傍に位置している。
【００３１】
また、図２に示すように、底面側エアーダクト７２の内壁にはフィルタ８のフィルタ面（主表面）に平行な方向に沿って延びるようにフィルタガイド部８１が形成されている。したがって、フィルタ８は、フィルタ面に平行な方向に沿って、フィルタガイド部８１によって案内され、底面側エアーダクト７２内に挿入され、フィルタガイド部８１の上に設置される。フィルタガイド部８１は、底面側エアーダクト７２が延びる方向に対して傾斜している。なお、フィルタ８は、底面側エアーダクト７２内に取り付けられたり、底面側エアーダクト７２から取り外されたりするものである。
【００３２】
さらに、図３に示すように、フィルタ８の正面１ａ側の端部８ａの下方の位置に埃受け皿９２が設置されている。埃受け皿９２は、底面側エアーダクト７２に取り付けたり、底面側エアーダクト７２から取り外されたりするものである。さらに、空気吸込口７３には格子状のフタ８０が開閉自在に設けられ、フタ８０の先端にブラシ部９１が設置されている。これによれば、フィルタ８が底面側エアーダクト７２から取り出されるときには、ブラシ部９１が、フィルタ８に接触し、埃をフィルタ８から除去する。その結果、埃が埃受け皿９２内に落下する。したがって、埃受け皿９２を底面側エアーダクト７２から取り出して清掃しさえすれば、底面側エアーダクト７２内を清潔な状態に維持することができる。
【００３３】
前述の冷却庫１の動作を以下に説明する。
スターリング冷凍機３が起動すると、スターリング冷凍機３のコールドセクション（低温側熱搬送サイクルの凝縮器）で冷熱が発生する。その冷熱は、低温側循環路３０内を循環する二次冷媒によって冷却器（低温側熱搬送サイクルの蒸発器）６１に搬送され、冷却器６１から冷気ダクト１０内の空気へ伝達される。
【００３４】
このとき、送風ファン（図示しない）の回転によって、冷気ダクト１０内の冷気の一部が、矢印Ｄで示すように冷凍室１１内に送り込まれるとともに、矢印Ｃで示すように冷気の一部が冷蔵室１２内に送り込まれる。また、冷蔵室１２内に送り込まれた冷気は矢印Ｅで示すように野菜室１３内へ送り込まれる。さらに、野菜室１３内の冷気は、庫内排気ダクト（図示しない）を介して再び冷却器６１の付近へ送られる。なお、冷却器６１の除霜によって生じたドレン水は、ドレンパンに向かって落下し、ドレンパン内で蒸発する。
【００３５】
一方、スターリング冷凍機３のウォームセクション（高温側熱搬送サイクルの蒸発器）で温熱が発生する。その温熱は、高温側循環路４０内を循環する二次冷媒によって放熱用熱交換器４１に搬送された後、次のようにして冷却庫１の周囲へ放出される。
【００３６】
送風機５の駆動によって、冷却庫１の周囲の外気が、矢印Ｆで示すように、空気吸込口７３からエアーダクト７内に取り込まれる。外気は、エアーダクト７に沿って流れ、矢印Ａで示すように、開口部７４から機械室２内に流入し、放熱用熱交換器４１まで導かれる。放熱用熱交換器４１においては熱交換が行われ、機械室２内の温かい空気が、矢印Ｂで示すように、機械室２の上部に設けられた空気排気口７５から冷却庫１の周囲へ放出される。
【００３７】
上記の一連の動作において、底面側エアーダクト７２中にフィルタ８が設けられているため、スターリング冷凍機３のウォームセクションを空冷するための背面側エアーダクト７１への異物の付着を極力防止することができる。その結果、背面側エアーダクト７１は、清掃が困難であるため、冷却庫１のメンテナンスが容易になる。さらに、冷却庫１の正面１ａであって冷却庫１の下端部の近傍に空気吸込口７３が設けられているため、キッチンのような環境において冷却庫１が使用される場合の油煙に起因する悪影響を最小限にすることができる。
【００３８】
さらに、収容の利便性の関係を考慮して、通常、冷却スペースが設けられない冷却庫１の底部に、底面側エアーダクト７２が設置されている。そのため、通常では、デッドスペースとなっていた空間を有効活用することができるとともに、冷却庫１の本体５０のコンパクト化および冷凍室１１、冷蔵室１２、および野菜室１３などの冷却空間の体積を極力大きくすることができる。
【００３９】
さらに、フィルタ８は、正面１ａ側の端部８ａが空気吸込口７３の上端に設けられ、背面１ｂ側の端部８ｂがエアーダクト７の角部に設けられ、斜めに傾斜している。そのため、底面側エアーダクト７２の横断面の大きさに比較して、フィルタ面積を大きくすることができる。その結果、単位面積当たりの異物のフィルタ８への固着量を軽減させることができる。なお、フィルタ８は正面１ａ側の端部８ａが背面１ｂ側の端部８ｂよりも下方に位置するように傾斜して設置されていてもよい。これによっても、単位面積当たりの異物の固着量を低減することは可能である。
【００４０】
また、風の向きが、フィルタ８の主表面に対し垂直な方向とならず一定の傾きを有するため、フィルタ８上の異物が、風に乗ってフィルタ８の背面側の端部８ｂへ自動的に送られる。また、送風機５が停止している時には、重力により異物がフィルタ８から自然に落下する。
【００４１】
さらに、フィルタ８の背面１ｂ側の端部８ｂは、底面側エアーダクト７２の天面６０の背面１ｂ側の端部６ａよりも背面１ｂ側に位置している。そのため、蒸気の吸入などにより背面側エアーダクト７１内において結露が生じ、異物などによる汚れを含んだ結露水が下方に流れ落ちてきた際に、フィルタ８の背面１ｂ側部分において結露水を受けることができる。その結果、フィルタ８を交換すれば、底面側エアーダクト７２の背面１ｂ側の端部の付近に異物が溜まることを防止することができる。
【００４２】
さらに、フィルタ８をフィルタ面に平行な方向に沿って着脱を行うことができるため、特に、空気吸込口７３のフィルタ８の出し入れに必要な開口を極力小さくすることができる。さらに、フィルタ８の着脱時において、ブラシ部９１がフィルタ面に接触するため、フィルタ面上の埃を容易に取り除くことができる。
【００４３】
このように、本実施の形態の冷却庫においては、フィルタ８およびその下流側のエアーダクト７に対する異物の付着を極力防止し得る構成が採用されている。そのため、エアーダクト７に異物が付着することにより送風効率が低下することなく、外気を効率的に安定して放熱用熱交換器４１に導くことができる。その結果、例えば、熱交換器がフィンチューブ型の熱交換器である場合には、フィン同士の間隔を密にすることによって放熱効果の高い放熱システム４を有する冷却庫を提供することができる。
【００４４】
また、本実施の形態のダクトの構成によれば、放熱用熱交換器４１の熱交換効率を高めることができるため、特にスターリング冷凍機３を用いた冷却庫１において、極低温の冷熱を効率よく発生させることができる。具体的に言うと、−５０℃以下の温度帯で貯蔵物を保存することが可能であり、冷凍および冷蔵の効率が高く、地球環境に与える悪影響が小さく、かつ騒音が小さい冷却庫を得ることができる。
【００４５】
なお、本実施形態においては、スターリング冷凍機３は機械室２内に設置されているが、本発明の冷却庫においては、スターリング冷凍機が機械室以外の空間に設置されていてもよい。スターリング冷凍機３が機械室２内に設置されている場合には、放熱用熱交換器４１とともにスターリング冷凍機３のウォームセクションおよび高温側循環路４０を同時に空冷することによって、スターリング冷凍システムの放熱効率を向上させることができるという効果が得られる。一方、スターリング冷凍機３が機械室２以外の空間に設置されている場合には、機械室２内の送風抵抗を低下させ、放熱用熱交換器４１を通過する気流の風量または風速を大きくすることによって、スターリング冷凍システムの放熱効率を向上させることができるという効果が得られる。
【００４６】
また、送風機５が設けられる位置は、機械室２内に限定されず、エアーダクト７内、空気吸込口７３の近傍、または空気排出口７５の近傍などのいずれの位置であってもよい。空気吸込口７３から放熱用熱交換器４１を経由し空気排出口７５へ至る気流が生成されるのであれば、送風機５がいずれの位置に設けられていても、ほぼ同様の放熱特性が得られる。
【００４７】
（第２の実施形態）
本実施形態の冷却庫は、以下に説明する事項を除いては、第１の実施形態の冷却庫の構成と同様の構成を有している。図４は、本実施形態の要部の構成を示す断面図である。
【００４８】
図４に示すように、本実施形態のフィルタ８は、支持部材８ｃに取り付けられており、支持部材８ｃが底面側エアーダクト７２の底面７２ａ上に載置されている。したがって、図４において矢印Ｂで示すように、本実施形態の冷却庫１においては、フィルタ８は、支持部材８ｃと一体となって底面側エアーダクト７２の送風方向、すなわち底面側エアーダクト７２が延びる方向に沿って着脱される。つまり、フィルタ８は、支持部材８ｃとともに、底面側エアーダクト７２内へ挿入されたり、底面側エアーダクト７２内から取り出されたりするものである。
【００４９】
また、フィルタ８の背面側の端部８ｂは、フィルタ８および支持部材８ｃの着脱操作の過程の大部分において、底面側エアーダクト７２の底面７２ａに接している。そのため、底面側エアーダクト７２の底面７２ａ上に溜まった異物は、フィルタ８の着脱操作時において、フィルタ８の背面側の端部８ｂによって空気吸込口７３から外部へ掻き出される。なお、本実施の形態の支持部材８ｃは、受け皿ではなく、フレーム状の構造物であってもよい。
【００５０】
（第３の実施形態）
本実施形態の冷却庫も、以下に説明する事項を除いては、第１および第２の実施形態の冷却庫の構成と同様の構成を有している。図５は、本実施形態の要部の構成を示す断面図である。
【００５１】
図５に示すように、本実施形態の冷却庫１においては、フィルタ８と埃受け皿９２とが一体的に形成されている。つまり、フィルタ８は、支持部８ｄによって埃受け皿９２に固定されている。埃受け皿９２は、フィルタ８の下方に位置し、フィルタ８から落下する埃を受けるものである。そのため、矢印Ｃで示す方向に沿って、フィルタ８は、埃受け皿９２と一体となった状態で、フィルタ８を底面側エアーダクト７２内へ挿入されたり、フィルタ８を底面側エアーダクト７２から取り出されたりするものである。これによれば、フィルタ８の底面側エアーダクト７２への取り付けおよび取り外し時において、フィルタ８に付着している異物の散乱を防止することができる。
【００５２】
なお、本実施の形態においても、フィルタ８の背面側の端部８ｂは、埃受け皿９２、支持部８ｄ、およびフィルタ８の着脱操作の過程の大部分において、底面側エアーダクト７２の底面７２ａに接している。そのため、底面側エアーダクト７２の底面７２ａ上に溜まった異物は、埃受け皿９２、支持部８ｄ、およびフィルタ８の着脱操作時において、フィルタ８の背面側の端部８ｂによって空気吸込口７３から外部へ掻き出される。
【００５３】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれていることが意図される。
【図面の簡単な説明】
【００５４】
【図１】本発明の第１の実施形態の冷却庫の概略的な構成を示す断面図である。
【図２】本発明の第１の実施形態の冷却庫のエアーダクトの構成を示す斜視図である。
【図３】本発明の第１の実施形態の冷却庫のエアーダクトの構成を示す断面図である。
【図４】本発明の第２の実施形態の冷却庫のエアーダクトの構成を示す断面図である。
【図５】本発明の第３の実施形態の冷却庫のエアーダクトの構成を示す断面図である。
【符号の説明】
【００５５】
１  冷却庫、２  機械室、３  スターリング冷凍機、４  放熱システム、４１  放熱用熱交換器、５  送風機、６  冷却システム、６１  冷却器、７  エアーダクト、７１  背面側エアーダクト、７２  底面側エアーダクト、７３  空気吸込口、８  フィルタ、８１  フィルタガイド部、９１  ブラシ部、９２  埃受け皿、１０  冷気ダクト、１１  冷凍室、１２  冷蔵室、１３  野菜室。
【図１】
2007003071.tif 000003
【図２】
2007003071.tif 000004
【図３】
2007003071.tif 000005
【図４】
2007003071.tif 000006
【図５】
2007003071.tif 000007